(57)【要約】【課題】簡単な構成でキーボード入力操作とペン入力操作とを判別して、表示画面の表示方向を自動的に切り替える手段を提供し、耐衝撃性、防滴性、防塵性、省電力性にも優れた携帯情報端末を提供することを目的とする。【解決手段】図１の表示部２は矢印ａ方向と矢印ｂ方向に回転する２軸の回転軸を持つ。表示部２の自由端には磁石１１、本体部２には磁気センサー１０と画面を１８０度回転させる表示処理部が設けられている。図１では磁気センサー１０と磁石１１は離れた位置にあるので順方向の画面が表示されている。表示部２を矢印ｂ方向に１８０度回転させた後，ａ方向に閉じるとタブレット入力ができる状態となる。この位置では磁気センサー１０と磁石１１が対向するので、磁気センサー１０からの信号により、表示処理部９が表示画面の方向を１８０度回転させる。【選択図】  図１
2004310659.tif 000002
【特許請求の範囲】
【請求項１】
非接触センサー手段１を有する本体部と、
表示面と背カバーと非接触センサー手段２とを有する表示部と、
前記本体部と前記表示部とを結合し、直交する２方向の回転軸を有するヒンジ部と、
前記表示面の表示を１８０度回転させる表示処理部とを備え、
前記本体部と前記表示部とを前記ヒンジ部を回転して重ね合わせたとき、前記非接触センサー手段１と前記非接触センサー手段２とが対向した場合に、前記非接触センサー手段１、または前記非接触センサー手段２が前記表示処理部に信号を発信し、前記信号に基づいて前記表示処理部が前記表示面の表示を１８０度回転させることを特徴とする情報処理装置。
【請求項２】
前記非接触センサー手段１が磁気センサー、前記非接触センサー手段２が磁石であり、前記非接触センサー手段２が前記表示部の自由端に設けられていることを特徴とする請求項１に記載の情報処理装置。
【請求項３】
前記非接触センサー手段１が磁石、前記非接触センサー手段２が磁気センサーであり、前記非接触センサー手段２が前記表示部の自由端に設けられていることを特徴とする請求項１に記載の情報処理装置。
【請求項４】
前記非接触センサー手段１と前記非接触センサー手段２とが前記本体部または前記表示部に内蔵されていることを特徴とする請求項２または請求項３に記載の情報処理装置。
【請求項５】
非接触センサー手段１Ａと非接触センサー手段１Ｂとを有する本体部と、
表示面と背カバーと非接触センサー手段２とを有する表示部と、
前記本体部と前記表示部とを結合し、直交する２方向の回転軸を有するヒンジ部と、
前記表示面の表示を１８０度回転させる表示処理部と前記表示面の電力を節電する省電力処理部とを備え、
前記本体部と前記表示部とを前記ヒンジ部を回転して重ね合わせたとき、前記非接触センサー手段１Ａと前記非接触センサー手段２とが対向した場合に、前記非接触センサー手段１Ａが前記表示処理部に信号Ａを発信し、前記信号Ａに基づいて前記表示処理部が前記表示面の表示を１８０度回転させ、
前記非接触センサー手段１Ｂと前記非接触センサー手段２とが対向した場合に、前記非接触センサー手段１Ｂが前記省電力処理部に信号Ｂを発信し、前記信号Ｂに基づいて前記表示面の電源を切断することを特徴とする情報処理装置。
【請求項６】
前記非接触センサー手段１Ａおよび前記センサー手段１Ｂが磁気センサー、前記非接触センサー手段２が磁石であり、前記非接触センサー手段２が前記表示部の自由端に設けられていることを特徴とする請求項５に記載の情報処理装置。
【請求項７】
前記非接触センサー手段１Ａ、前記非接触センサー手段１Ｂ、および前記非接触センサー手段２が前記本体部または前記表示部に内蔵されていることを特徴とする請求項６に記載の情報処理装置。
【請求項８】
表示部に内蔵される非接触センサー手段は、前記表示部の厚み方向において、略中央部に位置することを特徴とする請求項５乃至請求項７に記載の情報処理装置。
【請求項９】
表示部は、表示面が入力用タブレットを兼ねることを特徴とする請求項１乃至請求項８に記載の情報処理装置。
【発明の詳細な説明】
【０００１】
【発明の属する技術分野】
本発明は情報処理装置に関し、特に表示面が入力用タブレットを兼ねる携帯型情報処理装置に関する。
【０００２】
【従来の技術】
近年、情報処理装置であるパーソナルコンピュータ（以下パソコン）の中でノート型パソコンと呼ばれるものが多く用いられている。ノート型パソコンは小型のため携帯に便利で、卓上で場所をとらず業務用としても種々の形態のものが商品化されている。
【０００３】
図５は表示面が入力用タブレットを兼ね、キーボード入力とタブレット入力の２方式の入力が可能な従来のノート型パソコンの斜視図、図６は従来のノート型パソコンにおいて表示部を閉じたとき現出する二つの状態を説明する側面図、図７は従来のノート型パソコンのタブレットの使用方法を説明する斜視図である。
【０００４】
図５において、１は本体部、２は表示部、４は表示面３を保護する背カバーである。表示面３はペン入力可能なタブレットである。５はヒンジ部、６はキーボード、７はペン入力装置、２１はボタン、Ａは表示部２の自由端、Ｂは表示部２の固定端である。ヒンジ部５は直交する２方向の回転軸を持つ。一つは本体部１と表示部２との開閉軸（開閉方向を矢印ａで示す）である。二つ目は表示部２の回転軸である（回転方向を図５矢印ｂで示す）。
【０００５】
図６（ａ）は図５の状態より表示部２を閉じて作業を終了した状態のパソコンの側面図、図６（ｂ）は図５の表示部２を矢印ｂ方向に１８０度回転した後、表示部２を閉じた状態のパソコンの側面図である。８は携帯用のストラップである。
【０００６】
パソコンを事務所で使用する場合には、パソコンを卓上に置き、図５の状態で両手を使ってキーボード６により、入力するのが普通である。作業が終了すると、図６（ａ）のように表示面３が内側に折りたたまれ携帯可能な状態となる。
【０００７】
屋外で作業する場合には、図６（ｂ）のように表示面３を上向きにして、ペン入力装置７により入力を行う。図７は屋外においてペン入力をするときの保持方法を示す斜視図である。ストラップ８に指先を通し、５本指によってパソコンを保持して、本体部１から取り出した入力ペン７を反対側の手に持って、表示面３（タブレット）の特定領域を指示してペン入力を行う。
【０００８】
このように構成したパソコンは、このままでは、キーボード入力時（図５）とペン入力時（図７）とでは表示面３に表示される画面が上下逆になってしまうため、表示の向きを切り替える必要がある。即ち図５では自由端Ａは上側に、図７では自由端Ａは下側（手前）になるので、表示画面を１８０度回転させるボタン２１を設けることにより、手動で画面の表示方向を切り替えることができる。
【０００９】
また、特許文献１のように、ペン入力式ではないが、自動で画面の表示方向を切り替えられるようにしたものもある。
【００１０】
【特許文献１】
特開平８−１７９８５１号公報
【００１１】
【発明が解決しようとする課題】
ところで、携帯型パソコンの共通の課題は携帯性と省電力である。さらに業務用として使用される携帯パソコンには、屋内使用のパソコン以上の堅牢性が要求される。図５に示したパソコンも業務用として使用され、図７の様な使用時においてパソコン本体を誤って落としたり、他のものにぶつけたりしたときの耐衝撃性、携帯時の耐震性、屋外使用時における雨、ほこりに対する防滴性、防塵性等が要求される。
【００１２】
ところが、従来のように表示方向を切り替えるボタンを外面に設けたのでは、耐衝撃性や防滴性、防塵性を満足させることはできなくなる。
【００１３】
本発明はこのような従来の課題に対処し、簡単な構成でキーボード入力操作とペン入力操作とを判別して、表示画面の表示方向を自動的に切り替える手段を提供し、耐衝撃性、防滴性、防塵性、省電力性にも優れた携帯情報端末を提供するものである。
【００１４】
【課題を解決するための手段】
上記課題を解決するために本発明の請求項１に記載の情報処理装置は、非接触センサー手段１を有する本体部と、表示面と背カバーと非接触センサー手段２とを有する表示部と、前記本体部と前記表示部とを結合し、直交する２方向の回転軸を有するヒンジ部と、前記表示面の表示を１８０度回転させる表示処理部とを備え、前記本体部と前記表示部とを前記ヒンジ部を回転して重ね合わせたとき、前記非接触センサー手段１と前記非接触センサー手段２とが対向した場合に、前記非接触センサー手段１、または前記非接触センサー手段２が前記表示処理部に信号を発信し、前記信号に基づいて前記表示処理部が前記表示面の表示を１８０度回転させることを特徴とするものである。
【００１５】
この構成によって、使用する画面に応じて適切な画面を自動的に表示することができる。即ちペン入力（タブレット状態）のときにはセンサーからの信号によって順方向の画面を１８０度回転させた画像が表示され、それ以外の場合には順方向の画面が表示される。
【００１６】
また本発明の請求項２の情報処理装置は、請求項１の構成において、前記非接触センサー手段１が磁気センサー、前記非接触センサー手段２が磁石であり、前記非接触センサー手段２が前記表示部の自由端に設けられていることを特徴とするものである。
【００１７】
この構成によって、請求項１の構成による効果に加えて、非接触センサーと非接触センサー手段２との機械的寸法精度が寛大となり、耐衝撃性を向上させかつ信頼性を向上させることができる。またこの構成は表示処理部が本体側に配置されている場合には、センサーと表示処理部との配線が容易となる利点がある。
【００１８】
また本発明の請求項３の情報処理装置は、請求項１の構成において、前記非接触センサー手段１が磁石、前記非接触センサー手段２が磁気センサーであり、前記非接触センサー手段２が前記表示部の自由端に設けられていることを特徴とするものである。
【００１９】
この構成によって、表示処理部が表示部側に配置されている場合には、センサーと表示処理部との配線が容易となる利点がある。
【００２０】
また本発明の請求項４に記載の情報処理装置は、請求項２または請求項３に記載の構成において、前記非接触センサー手段１と前記非接触センサー手段２とが前記本体部および前記表示部に内蔵されていることを特徴とするものである。
【００２１】
この構成によって、パソコンを構成する精密電気部品を外気から密閉できるため防滴性、防塵性に優れ屋外での信頼性が向上する。
【００２２】
また本発明の請求項５に記載の情報処理装置は、非接触センサー手段１Ａと非接触センサー手段１Ｂとを有する本体部と、表示面と背カバーと非接触センサー手段２とを有する表示部と、前記本体部と前記表示部とを結合し、直交する２方向の回転軸を有するヒンジ部と、前記表示面の表示を１８０度回転させる表示処理部と前記表示面の電力を節電する省電力処理部とを備え、前記本体部と前記表示部とを前記ヒンジ部を回転して重ね合わせたとき、前記非接触センサー手段１Ａと前記非接触センサー手段２とが対向した場合に、前記非接触センサー手段１Ａが前記表示処理部に信号Ａを発信し、前記信号Ａに基づいて前記表示処理部が前記表示面の表示を１８０度回転させ、前記非接触センサー手段１Ｂと前記非接触センサー手段２とが対向した場合に、前記非接触センサー手段１Ｂが前記省電力処理部に信号Ｂを発信し、前記信号Ｂに基づいて前記表示面の電源を切断することを特徴とするものである。
【００２３】
この構成によって、使用する画面に応じて適切な画面を自動的に表示することができ、かつ表示面が閉じられて画面を見ることができない場合には表示面への電源を切断するので、不要な電力を節電することができる。
【００２４】
また本発明の請求項６に記載の情報処理装置は、請求項５の構成において、前記非接触センサー手段１Ａおよび前記センサー手段１Ｂが磁気センサー、前記非接触センサー手段２が磁石であり、前記非接触センサー手段２が前記表示部の自由端に設けられているものである。
【００２５】
この構成によって、請求項６の構成による効果に加えて、非接触状態での検出が可能となり、センサーと非接触センサー手段２との機械的寸法精度が寛大となり、耐衝撃性を向上させかつ信頼性を向上させることができる。またこの構成は表示処理部および省電力処理部とが本体側に配置されている場合には、センサーと表示処理部との配線が容易となる。さらに磁石を表示部厚み方向に対して中央に配置すれば、表示面側の磁力と背カバー側の磁力を等しくすることが容易であり、これによって磁気センサーの信頼性が向上する。
【００２６】
また本発明の請求項７に記載の情報処理装置は、請求項５または請求項６の構成において、前記非接触センサー手段１Ａ、前記非接触センサー手段１Ｂ、および前記非接触センサー手段２が前記本体部または前記表示部に内蔵されていることを特徴とするものである。
【００２７】
この構成によって、パソコンを構成する精密電気部品を外気から密閉できるため防滴性、防塵性に優れ屋外での信頼性が向上する。
【００２８】
【発明の実施の形態】
以下本発明の実施の形態について、図面に基づいて説明する。
【００２９】
（実施の形態１）
図１は本発明の実施の形態１のキーボード入力とタブレット入力の２方式の入力が可能なノート型パソコンの斜視図、図２はパソコンの表示部を折りたたんだ第１の状態および第２の状態を示す平面図である。
【００３０】
図１および図２において、従来例における図５から図７と同じ部分については同じ符号をつけて詳細な説明を省略する。
【００３１】
図１と従来図５とで大きく異なる点は、本体部１の内部に磁気センサー１０と表示処理部９とが内蔵されている点と、表示部２の自由端に磁石１１が内蔵されている点である。即ち、磁気センサー１０と磁石１１とが対向すると、磁気センサー１０は表示処理部９に信号を発信し、表示処理部９はこの信号を受信すると表示面３の表示方向を１８０度回転させるように構成している。
【００３２】
図２（ａ）は、図１よりヒンジ部５を矢印ａ方向に回転して表示部３を閉じた状態、図２（ｂ）は、図１より表示部４を矢印ｂ方向に１８０度回転させてから、矢印ａ方向に回転して閉じた状態を示す。
【００３３】
図２（ｂ）の状態において、磁気センサー１０は磁石１１の直下にあり筐体カバーを貫通する磁界を検出して、表示処理回路１３に表示画面を１８０度回転させる信号を送信する。これにより図２（ｂ）の状態より、ストラップ８に指先を通して本体部１を保持してタブレット入力（ペン入力）する場合には順方向の画面が表示される。
【００３４】
図２（ａ）では磁気センサー１０と磁石１１とは離れた位置にあるので磁気センサー１０には磁界が及ばない。このため表示面３には順方向の画面が表示される。また同様に図１においても磁気センサー１０と磁石１１とは離れた位置にあるので、表示面３には順方向の画面が表示される。順方向の画面が表示されている図１の状態より、表示部２をヒンジ部５によって矢印ｂ方向へ１８０度回転すると背カバー４が正面に来る。この状態より矢印ａ方向に表示部２を閉じると、磁気センサー１０と磁石１１とが次第に接近するようになり、磁気センサー１１は磁界を検知するようになる。センサー１０の感度と磁石１１の磁力の強さを選択することにより、適当な角度で表示画面３の表示方向を１８０度変えることができる。
【００３５】
このように、実施の形態１の構成によれば、磁気センサー１０と磁石１１とをそれぞれ本体部１と表示部２の筺体の内部に収容することができる。このため、筺体によりパソコン内部の精密電気部品を外気から遮断することができるので、防滴性、防塵性、携帯性に優れている。
【００３６】
本体部１および表示部２の筐体材質は鉄板のような磁性体でなければよく、磁界に対して遮蔽性のない各種プラスティック、マグネシュウム合金などを使用することができる。
【００３７】
非接触センサー手段１と非接触センサー手段２の組み合わせは、実施の形態１では磁気センサー／磁石であるが、光センサー／光源、マイク／振動子などでもよい。勿論、この場合においても筐体内部に収容する場合には、筺体材質として光、音にたいして遮蔽性のない材質を使用する必要がある。
【００３８】
なお、実施の形態１では表示処理部９が本体部１に内蔵されているので磁気センサー１０を本体側に配置したが、表示処理部９が表示部２に内蔵されている場合には、磁気センサー１０を表示部２に、磁石１１を本体部１側に配置したほうが配線の引き回し上有利である。
【００３９】
（実施の形態２）
図３は本発明の第２の実施の形態におけるノート型パソコンの斜視図、図４はパソコンの表示部を折りたたんだ第１の状態および第２の状態を示す平面図である。図３および図４において、実施の形態１における図１および図２と同じ部分については同じ符号をつけて詳細な説明を省略する。
【００４０】
図３と図１との差異は、実施の形態２では実施の形態１に加えて磁気センサー１２と省電力処理部１３とを本体部１の内部に設けたことである。即ち磁気センサー１０と対称の位置にもう一つの磁気センサー１２を設け、表示部２を閉じた場合に、磁石１１が必ずどちらかの磁気センサーと対向するように構成した点である。
【００４１】
磁気センサー１０は実施の形態１と同様に、磁石１１と対向すると表示処理部９に信号を送り、信号を受信すると表示処理部９は表示面３の表示方向を１８０度回転させる。一方磁気センサー１２は磁気センサー１０と同一構造のもので、磁石１１と対向すると省電力処理部１３に信号を送り、信号を受信すると省電力処理部１３は表示面３の電源を切断するように構成した。
【００４２】
図４（ａ）は図５から表示部２を矢印ａ方向に回転してパソコンを折りたたんだとき、図４（ｂ）は図３の状態から表示部２を矢印ｂ方向に１８０度回転させた後、矢印ａ方向へ回して折りたたんだときの磁気センサー１０、磁気センサー１２と磁石１１との位置関係を示す平面図である。
【００４３】
図４（ｂ）はタブレット状態での使用であるから実施の形態１と同様に、磁気センサー１０は磁石１１と対向しており、表示処理部９に信号を送り表示面３の表示画面を１８０度回転させる。
【００４４】
図４（ａ）は作業が一段落してパソコンの主電源を入れた状態で表示部２だけを閉じた場合、あるいは作業を終了しパソコンの主電源を切断して表示部２を閉じた場合のいずれかである。前者の場合であれば、表示面３は使用していないので磁気センサー１２が省電力処理部１３に信号を送り、表示面３の電源を切断する。後者の場合であればすでに主電源は切られているので、省電力処理部１３は動作しない。
【００４５】
前者の場合、磁気センサー１０の感度と磁石１１の磁界の強さなどを調整することによって、表示部２が半開きの状態でも省電力処理部１３を動作させることが可能である。
【００４６】
言うまでもなく、本実施の形態の場合には、磁石１１は表示面３側にも背カバー４側にも磁界を外部へ透過することが必要である。このため磁石１１を表示部２の厚み方向に対し中央に配置することが好ましい。
【００４７】
実施の形態２の構成によれば、磁気センサー１０、磁気センサー１２と磁石１１とをそれぞれ本体部１と表示部２の筺体の内部に収容することができる。このため筺体内部は外気から遮断されるので、防滴性、防塵性に優れる。また内蔵することによって、パソコン本体から突出するものがなくなるので、携帯性、作業性に優れる。
【００４８】
【発明の効果】
以上説明したように本発明の情報処理装置は、パソコン本体部と表示部とに非接触センサーと該センサーを活性化する手段とを設け、非接触センサーからの信号によって本体部と表示部との位置関係を知り、表示画面の表示方向や表示部の省電力設定を切り替えるものであり、非接触センサーと該センサーを活性化する手段とを筺体内に収納することができる。設定の切り替えを自動化できるだけでなく、これにより屋外で使用することの多い業務用パソコンの防滴性、防塵性、携帯性を改善することができる。
【図面の簡単な説明】
【図１】本発明の実施の形態１のノート型パソコンの斜視図
【図２】本発明の実施の形態１のノート型パソコンの表示部を折りたたんだ第１の状態および第２の状態を示す平面図
【図３】本発明の実施の形態２のノート型パソコンの斜視図
【図４】本発明の実施の形態２のノート型パソコンの表示部を折りたたんだ第１の状態および第２の状態を示す平面図
【図５】従来のノート型パソコンの斜視図
【図６】従来のノート型パソコンにおいて表示部を閉じたとき現出する二つの形状態を説明する側面図
【図７】従来のノート型パソコンのタブレットの使用方法を説明する斜視図
【符号の説明】
１  本体部
２  表示部
３  表示面
４  背カバー
５  ヒンジ部
６  キーボード
７  ペン
８  携帯ストラップ
９  表示処理部
１０  磁気センサー
１１  磁石
１２  磁気センサー
１３  省電力処理部
【図１】
2004310659.tif 000003
【図２】
2004310659.tif 000004
【図３】
2004310659.tif 000005
【図４】
2004310659.tif 000006
【図５】
2004310659.tif 000007
【図６】
2004310659.tif 000008
【図７】
2004310659.tif 000009